(57)【要約】【課題】トランスペアレントネットワークにおいて、中継ノードにどの光信号が届いているかを正確にモニタする。【解決手段】本発明は、送信ノードでは、通常時は、光信号のオーバヘッドに光パスのＩＤを示すパストレース情報を挿入して高周波で送信し、パス故障時は、光信号を低周波変調して中継ノードに送出し、中継ノードでは、光信号のパワーレベルを検出することにより、パスが正常か異常かを判定し、受信ノードでは、光信号のオーバヘッドに挿入されているパストレース情報と予め与えられている光パスのＩＤとを比較し、一致していない場合には上位ノードで異常があると判定する。【選択図】図１
2010098546.tif 000002
【特許請求の範囲】
【請求項１】
送信ノード、中継ノード、受信ノードからなり、各ノード共に、波長多重信号からドロップ信号光を選択して出力し、該波長多重信号からドロップされた信号光を除いた信号光と、アド信号光を多重した信号光を出力する光分岐挿入多重手段から構成され、各ノードの入出力を接続し、該送信ノードから該受信ノードまで光−電気処理を含まないトランスペアレントネットワークにおいて、
前記送信ノードでは、
通常時は、光信号のオーバヘッドに光パスのＩＤを示すパストレース情報を挿入して高周波数で送信し、パス故障時は、光信号を低周波数で前記中継ノードに送出することを特徴とするパストレース方法。
【請求項２】
前記中継ノードは、
前記光信号のパワーレベルを検出して、パスが正常か異常かを判定する
請求項１記載のパストレース方法。
【請求項３】
前記受信ノードは、
前記光信号のオーバヘッドに挿入されている前記パストレース情報と予め与えられている光パスのＩＤとを比較し、一致していない場合には上位ノードで異常があると判定し、前記送信ノードにパス故障を通知する
請求項１記載のパストレース方法。
【請求項４】
前記送信ノードにおいて、パス故障に、前記光信号を低周波で前記中継ノードに送出する際に、
手動でＯＮ／ＯＦＦ状態を制御し、
前記中継ノードでは、
前記送信ノード側がＯＮ状態である場合は信号を受信していること、及び、該送信側ノードがＯＦＦ状態である場合は信号を受信していないこととし、当該状態であれば、当該中継ノードにおいて、パスは正常であると判定する
請求項１記載のパストレース方法。
【請求項５】
前記送信ノードにおいて、パス故障に、前記光信号を低周波で前記中継ノードに送出する際に、
低周波数の一定周期のＯＮ／ＯＦＦ信号、または、低周波のクロック信号を前記中継ノードに送信し、
前記中継ノードにおいて、
前記送信ノードから受信した信号から前記一定周期のＯＮ／ＯＦＦ信号、または、前記低周波のクロック信号が検出できれば、当該中継ノードにおけるパスは正常であると判定し、検出できなければパスは異常であると判定する
請求項１記載のパストレース方法。
【請求項６】
前記送信ノードにおいて、パス故障に、前記光信号を低周波で前記中継ノードに送出する際に、
低周波のパスＩＤ情報を載せたＯＮ／ＯＦＦ信号を前記中継ノードに送信し、
前記中継ノードにおいて、
前記送信ノードから受信した信号から前記パスＩＤ情報を検出できれば、当該中継ノードにおけるパスは正常であると判定し、検出できなければ異常であると判定する
請求項１記載のパストレース方法。
【請求項７】
前記中継ノードにおいて、
ＯＣＭ（Optical Cannel Monitor）または、ＯＳＡ(Optical Spectrum Analyzer)を用いて、受信した光信号のチャネル毎のパワーを検出する
請求項４乃至６のいずれか１項記載のパストレース方法。
【請求項８】
前記中継ノードにおいて、
アド用波長選択スイッチ、または、ＲＯＡＤＭスイッチを用いて、受信した光信号のチャネル毎のパワーを検出する
請求項４乃至６のいずれか１項記載のパストレース方法。
【請求項９】
複数のノードが光ファイバで接続され、送信ノードから受信ノードまで光−電気処理を含まないトランスペアレントネットワークにおいて、
送信ノードとして機能するとき、通常時は、光信号のオーバヘッドに光パスのＩＤを示すパストレース情報を挿入して高周波で送信するパストレース情報送信手段と、
送信ノードとして機能するとき、受信ノードとして機能するノードからパス故障が通知されると、光信号を低周波数を用いて前記中継ノードに送出する変調手段と、
中継ノードとして機能するとき、受信した前記光信号のパワーレベルを検出することにより、パスが正常かパス故障かを判定する検出手段と、
受信ノードとして機能するとき、前記光信号のオーバヘッドに挿入されている前記パストレース情報と予め与えられている光パスのＩＤとを比較し、一致していない場合には上位ノードで故障があると判定し、前記送信ノードとして機能するノードにパス故障を通知するパストレース情報監視手段と、
を有することを特徴とするノード装置。
【請求項１０】
前記変調手段は、
前記受信ノードとして機能するノードから、パス故障が通知されると、低周波数で光信号を手動によりＯＮ／ＯＦＦさせて送出する手段を含み、
前記検出手段は、
前記送信ノード側がＯＮ状態である場合は信号を受信していること、及び、該送信側ノードがＯＦＦ状態である場合は信号を受信していないこととし、当該状態であれば、当該中継ノードにおいて、パスは正常であると判定する手段を含む請求項９記載のノード装置。
【請求項１１】
前記変調手段は、
低周波数の一定周期のＯＮ／ＯＦＦ信号、または、低周波のクロック信号を前記中継ノードに送信する手段を有し、
前記検出手段は、
前記送信ノードから受信した信号から前記一定周期のＯＮ／ＯＦＦ信号、または、前記低周波のクロック信号が検出できれば、当該中継ノードにおけるパスは正常であると判定し、検出できなければパスは異常であると判定する手段を有する
請求項９記載のノード装置。
【請求項１２】
前記変調手段は、
低周波のパスＩＤ情報を載せたＯＮ／ＯＦＦ信号を前記中継ノードに送信する手段を有し、
前記検出手段は、
前記送信ノードから受信した信号から前記パスＩＤ情報を検出できれば、当該中継ノードにおけるパスは正常であると判定し、検出できなければ異常であると判定する手段を有する請求項９記載のノード装置。
【請求項１３】
前記検出手段は、
受信した光信号のチャネル毎のパワーを検出するための、ＯＣＭ（Optical Cannel Monitor）または、ＯＳＡ(Optical Spectrum Analyzer)を含む
請求項１０乃至１２のいずれか１項記載のノード装置。
【請求項１４】
前記検出手段は、
受信した光信号のチャネル毎のパワーを検出するための、アド用波長選択スイッチ、または、ＲＯＡＤＭスイッチを含む
請求項１０乃至１２のいずれか１項記載のノード装置。
【発明の詳細な説明】
【技術分野】
【０００１】
本発明は、パストレース方法及びノード装置に係り、特に、送信ノード、中継ノード、受信ノードからなる光−電気処理を含まないトランスペアレントネットワーク上のノードにおいて、伝送された光信号のうち、どの光信号が届いていないかをモニタするためのパストレース方法及びノード装置に関する。
【背景技術】
【０００２】
従来、図９に示すようなトランスペアレントネットワークにおいて、ある送信ノードからある受信ノードへデータを転送する場合には、送信ノードにおいて転送データを含む電気信号を光信号に変換して送信して、受信ノードにおいて光信号を電気信号に変換する。この際、送信ノードから受信ノードまでは光パスが設定され、転送データを含む光信号が転送される。ここで、光パスを中継する中継ノードでは、ＯＥＯ(Optical Electrical Optical)の処理を介さず、つまり、光パスを終端する送信ノードから受信ノードまでは、電気信号に変換することなく光信号のまま転送される。
【０００３】
光パスで転送する情報には、転送データの他、転送データの情報、及び、トランスペアレントネットワークの制御管理情報も付加されており、ＩＴＵ−Ｔで標準化されている（例えば、非特許文献１、非特許文献２参照）。この中で、光パスのＩＤを示す管理情報（パストレース）も規定されている。また、中継ノードでは、光パワーが所定のレベルであるか否かにより、光信号が到達しているか否かを判定することが規定されている。
【非特許文献１】ITU-T Recommendations G.707/Y.1322(12/2003), Network node interface for the synchronous digital hierarchy (SDH), section 9.3.1.1, etc
【非特許文献２】ITU-T Recommendations G.709(2003), Interfaces for the optical transport network (OTM)
【発明の開示】
【発明が解決しようとする課題】
【０００４】
しかしながら、上記従来の方法では、ＯＥＯを介さずに中継するため、中継ノードにおけるモニタ機能は光パワーレベルに限定される。そのため、トランスペアレントネットワークにおいて、光パス設定に失敗した際の故障分析において、スイッチの異常等により異なる光信号が届いている場合でも、光パワーレベルでモニタした場合に、本来の光信号と区別できないため、誤った信号が所定のレベル以上のレベルであった場合には、「正常」と判断されてしまい、異常とは判別できないという問題がある。
【０００５】
本発明は、上記の点に鑑みなされたもので、トランスペアレントネットワークにおいて、中継ノードにどの光信号が届いているかを正確にモニタすることが可能なパストレース方法及びシステムを提供することを目的とする。
【課題を解決するための手段】
【０００６】
本発明（請求項１）は、送信ノード、中継ノード、受信ノードからなり、各ノード共に、波長多重信号からドロップ信号光を選択して出力し、該波長多重信号からドロップされた信号光を除いた信号光と、アド信号光を多重した信号光を出力する光分岐挿入多重手段から構成され、各ノードの入出力を接続し、該送信ノードから該受信ノードまで光−電気処理を含まないトランスペアレントネットワークにおいて、
送信ノードでは、
通常時は、光信号のオーバヘッドに光パスのＩＤを示すパストレース情報を挿入して高周波数で送信し、パス故障時は、光信号を低周波数で中継ノードに送出する。
【０００７】
また、本発明（請求項２）は、中継ノードにおいて、光信号のパワーレベルを検出して、パスが正常か異常かを判定する。
【０００８】
また、本発明（請求項３）は、受信ノードにおいて、光信号のオーバヘッドに挿入されているパストレース情報と予め与えられている光パスのＩＤとを比較し、一致していない場合には上位ノードで異常があると判定し、送信ノードにパス故障を通知する。
【０００９】
また、本発明（請求項４）は、送信ノードにおいて、パス故障に、光信号を低周波で中継ノードに送出する際に、手動でＯＮ／ＯＦＦ状態を制御し、
中継ノードでは、送信ノード側がＯＮ状態である場合は信号を受信していること、及び、該送信側ノードがＯＦＦ状態である場合は信号を受信していないこととし、当該状態であれば、当該中継ノードにおいて、パスは正常であると判定する。
【００１０】
また、本発明（請求項５）は、送信ノードにおいて、パス故障に、光信号を低周波で中継ノードに送出する際に、
低周波数の一定周期のＯＮ／ＯＦＦ信号、または、低周波のクロック信号を中継ノードに送信し、
中継ノードにおいて、送信ノードから受信した信号から一定周期のＯＮ／ＯＦＦ信号、または、低周波のクロック信号が検出できれば、当該中継ノードにおけるパスは正常であると判定し、検出できなければパスは異常であると判定する。
【００１１】
また、本発明（請求項６）は、送信ノードにおいて、パス故障に、光信号を低周波で中継ノードに送出する際に、
低周波のパスＩＤ情報を載せたＯＮ／ＯＦＦ信号を中継ノードに送信し、
中継ノードにおいて、送信ノードから受信した信号からパスＩＤ情報を検出できれば、当該中継ノードにおけるパスは正常であると判定し、検出できなければ異常であると判定する。
【００１２】
また、本発明（請求項７）は、中継ノードにおいて、ＯＣＭ、または、ＯＳＡを用いて、受信した光信号のチャネル毎のパワーを検出する。
【００１３】
また、本発明（請求項８）は、中継ノードにおいて、アド用波長選択スイッチ、または、ＲＯＡＤＭスイッチを用いて、受信した光信号のチャネル毎のパワーを検出する。
【００１４】
図１は、本発明の原理構成図である。
【００１５】
本発明（請求項９）は、複数のノードが光ファイバで接続され、送信ノードから受信ノードまで光−電気処理を含まないトランスペアレントネットワークにおいて、
送信ノードとして機能するとき、通常時は、光信号のオーバヘッドに光パスのＩＤを示すパストレース情報を挿入して高周波で送信するパストレース情報送信手段１４０と、
送信ノードとして機能するとき、受信ノードとして機能するノードからパス故障が通知されると、光信号を低周波数を用いて中継ノードに送出する変調手段１０２と、
中継ノードとして機能するとき、受信した光信号のパワーレベルを検出することにより、パスが正常かパス故障かを判定する検出手段２３０と、
受信ノードとして機能するとき、光信号のオーバヘッドに挿入されているパストレース情報と予め与えられている光パスのＩＤとを比較し、一致していない場合には上位ノードで故障があると判定し、送信ノードとして機能するノードにパス故障を通知するパストレース情報監視手段３４０と、を有する。
【００１６】
また、本発明（請求項１０）は、変調手段１０２において、
受信ノードとして機能するノードから、パス故障が通知されると、低周波数で光信号を手動によりＯＮ／ＯＦＦさせて送出する手段を含み、
検出手段２３０において、
送信ノード側がＯＮ状態である場合は信号を受信していること、及び、該送信側ノードがＯＦＦ状態である場合は信号を受信していないこととし、当該状態であれば、当該中継ノードにおいて、パスは正常であると判定する手段を含む。
【００１７】
また、本発明（請求項１１）は、変調手段１０２において、
低周波数の一定周期のＯＮ／ＯＦＦ信号、または、低周波のクロック信号を中継ノードに送信する手段を有し、
検出手段２３０において、
送信ノードから受信した信号から一定周期のＯＮ／ＯＦＦ信号、または、低周波のクロック信号が検出できれば、当該中継ノードにおけるパスは正常であると判定し、検出できなければパスは異常であると判定する手段を有する。
【００１８】
また、本発明（請求項１２）は、変調手段１０２において、
低周波のパスＩＤ情報を載せたＯＮ／ＯＦＦ信号を中継ノードに送信する手段を有し、
検出手段２３０において、
送信ノードから受信した信号からパスＩＤ情報を検出できれば、当該中継ノードにおけるパスは正常であると判定し、検出できなければ異常であると判定する手段を有する。
【００１９】
また、本発明（請求項１３）は、検出手段２３０において、
受信した光信号のチャネル毎のパワーを検出するための、ＯＣＭまたは、ＯＳＡを含む。
【００２０】
また、本発明（請求項１４）は、検出手段２３０において、
受信した光信号のチャネル毎のパワーを検出するための、アド用波長選択スイッチ、または、ＲＯＡＤＭスイッチを含む。
【発明の効果】
【００２１】
本発明によれば、トランスペアレントネットワークにおいて、通常は、主信号のオーバヘッドにパストレース情報を挿入して高速な光信号を送出し、低周波数を用いて高速信号とバッティングしないように故障情報を伝達でき、パス故障時には低周波数にてＯＮ／ＯＦＦ変調により他ノードに送出することにより、経済的なパストレースを実現することができる。
【発明を実施するための最良の形態】
【００２２】
以下、図面と共に本発明の実施の形態を説明する。
【００２３】
トランスペアレントネットワークは、図９と同様である。
【００２４】
図２は、本発明の第１の実施の形態における各ノードの構成を示す。
【００２５】
同図は、トランスペアレントネットワークにおける送信ノード１００、中継ノード２００、受信ノード３００の例を示している。
【００２６】
送信ノード１００は、光ファイバの信号を分岐させる光カプラ１１０、波長単位で光信号を切り替えるDrop用ＷＳＳ(Wavelength Selective Switch)１２０、Add用ＷＳＳ１３０、送信用トランスポンダ（ＴＰＤ）１４０を有する。ＴＰＤ１４０は、主信号のオーバヘッドにパストレース情報を挿入し、通常は高速(１００MHz〜数１０GHzレベル)で送出する。主信号のオーバヘッドに挿入されるパストレース情報は、パスを特定できる情報、例えば、送信ノード・受信ノードの情報、送受信ノードにおいてトランスペアレントネットワークと接続されている外部装置の情報、あるいは、送受信ノードにおいて外部装置と接続箇所を特定するポート等がある。
【００２７】
なお、同図では、説明のため、モニタを行う光パスに関連する送信用トランスポンダしか記載していないが、Drop用ＷＳＳ１２０の出力の各ポートに他の光パス用の受信用トランスポンダ、Add用トランスポンダの入力の各ポート（同図中、何も接続されていないポート）に他の光パス用の送信用トランスポンダを接続してもよい。
【００２８】
同様に、中継ノード２００も光カプラ２１０、Drop用ＷＳＳ２２０、Add用ＷＳＳ２３０を有する。なお、送信ノード１００と同様に、光パス用の受信用トランスポンダ、他の光パス用トランスポンダを接続してもよい。
【００２９】
また、受信ノード３００は、光カプラ３１０、Drop用ＷＳＳ３２０、Add用ＷＳＳ３３０、受信用トランスポンダ（ＴＰＤ）３４０を有する。当該受信ノード３００においても上記と同様に、光パス用の受信用トランスポンダ、他の光パス用トランスポンダを接続してもよい。
【００３０】
なお、説明のため、図２では、送信ノード１００、中継ノード２００、受信ノード３００の各構成を示しているが、全て同一の構成であってよい。
【００３１】
上記の各ノードのAdd用ＷＳＳ１３０，２３０，３３０は、波長多重信号を入力する複数の入力ポートと、波長多重信号を出力する１つの出力ポートを有し、波長毎にどの入力ポートからの信号（光パス）を出力ポートに接続するかを選択できるスイッチである。
【００３２】
また、上記の各ノードのDrop用ＷＳＳ１２０、２２０，３２０は、波長多重信号を入力する１つの入力ポートと、波長多重信号を出力する複数の出力ポートを有し、波長毎に入力ポートから入力された信号（光パス）をどの出力ポートに接続するかを選択できるスイッチである。
【００３３】
光パスを設定する際には、光パスを終端・中継する各ノードにおいて、管理制御装置（図示せず）からAdd用ＷＳＳ１３０，２３０，３３０に対して、どの波長に対してどの入力ポートとどの出力ポートを接続するか（切り替えるか）を指定して、各ＷＳＳ１３０，２３０，３３０においてスイッチの設定を行う。
【００３４】
同図に示す太線は、主信号の流れを示し、主信号は送信ノード１００の送信用ＴＰＤ１４０から中継ノード２００を介して受信ノード３００に送信される。
【００３５】
送信ノード１００では、送信用ＴＰＤ１４０から主信号のオーバヘッドにパストレース情報を挿入し、Add用ＷＳＳ１３０に出力する。パストレース情報には、パスを特定できる情報、例えば、送信ノード・受信ノードの情報、送受信ノードにおいて、トランスペアレントネットワークと接続されている外部装置の情報、あるいは、送受信ノードにおいて外部装置と接続箇所を特定するポート等の情報が設定される。Add用ＷＳＳ１３０は、パストレース情報が挿入された主信号を中継ノード２００に出力する。
【００３６】
中継ノード２００では、光カプラ２１０に主信号が入力されると、当該光カプラ２１０において、当該信号を分岐し、一方をDrop用ＷＳＳ２２０に出力し、もう一方を、Add用ＷＳＳ２３０に出力する。Add用ＷＳＳ２３０では、光カプラ２１０から入力された信号とAddポートから入力された信号を波長選択し、受信ノード３００に出力する。
【００３７】
受信ノード３００の光カプラ３１０は、中継ノード２００から入力された光信号を分岐して、Drop用ＷＳＳ３２０に出力する。Drop用ＷＳＳ３２０は、入力された光信号を波長選択して受信用ＴＰＤ３４０に出力する。受信用ＴＰＤ３４０は、受信した光信号のオーバヘッドからパストレース情報を抽出し、所定のパストレース情報と合致した場合は正常と判定し、合致しない場合は異常と判定する。パス故障の場合には、戻りの高速信号にＴＩＭ(Trace Invitation Mismatch)を検出したことを示す情報を付加、または、図３に示すように、OSC(Optical Supervisory Channel)を介して送信ノード１００にＴＩＭを検出したことを通知する。送信ノード１００のＴＰＤ１４０において、受信ノード３００においてＴＩＭが検出され、OSCによりＴＩＭを検出した旨の情報が通知された場合は、低周波（kHzレベル）でＯＮ／ＯＦＦ変調された光信号を、Add用ＷＳＳ１３０を介して中継ノード２００に送出する。
【００３８】
また、ＯＮ／ＯＦＦ変調として単純な１／０交番、または、簡単なＩＤを載せる方法がある。また、低周波で送信される光信号に周波数の違いによりパスＩＤを挿入して送信することも可能である。
【００３９】
送信ノード１００のＴＰＤ１４０において、ＯＮ／ＯＦＦ変調を行う方法は、以下のように行う。ＴＰＤ１４０は、所望の波長のＣＷ光を発生させる光源と、当該光源から発生したＣＷ光に送信データで変調をかける変調器が含まれている。パス故障時にＯＮ／ＯＦＦ変調を行う場合には、光源から主信号送信時と同一波長のＣＷ光を発生させるが、光源において励起電流を制御する等により出力のＯＮ／ＯＦＦを行うか、変調器、または、出力制御機能を用いてＯＮ／ＯＦＦの変調を行う。
【００４０】
なお、上記では、送信ノード１００のＴＰＤ１４０において、変調する際に、光信号をＯＮ／ＯＦＦさせる例を示したが、当該送信ノード１００内において、例えば、以下のような方法がある。
【００４１】
（ａ）ＯＮ／ＯＦＦ状態を手動で制御する；
（ｂ）低周波の一定周期のＯＮ／ＯＦＦ信号または、低周波のクロック信号を送信する；
（ｃ）低周波のパスＩＤ情報を載せた信号（ＯＮ，ＯＦＦ信号）を送信する；
（ｄ）Add用ＷＳＳ１３０で出力信号をＯＮ／ＯＦＦする；
（ｅ）ＴＰＤ１４０とAdd用ＷＳＳ１３０との間にスイッチまたは、変調器を加えてＯＮ／ＯＦＦさせる。なお、この際、ＴＰＤ１４０においては、高速な主信号を送信しているままでよい。
【００４２】
ＴＩＭ発生時に、中継ノード２００のAdd用ＷＳＳ２３０において、ＯＮ／ＯＦＦ変調のモニタを行う際には、各波長のパワーレベルを検出する機能により、モニタ点において低周波のパワーレベルを検出する（上記の（ｅ）の場合）。また、送信ノード１００から送出されているＯＮ／ＯＦＦ変調パターンと同じか否かを判定して、否であれば、「故障あり」と判定する（上記の（ａ）（ｂ）（ｄ）の場合）。
【００４３】
また、送信ノード１００から低周波で送信された光信号にパスＩＤが挿入されている場合には、予め管理制御機能部（図示せず）により設定されているパスＩＤと受信したパスＩＤを比較し、合致しなければ「故障あり」と判定する（上記の（ｃ）の場合）。
【００４４】
また、別の方法として図３に示すように、中継ノード２００において、Add用ＷＳＳ２３０の出力に、光カプラ等の光分岐器２３２を介して波長多重光を分岐して、分岐した光にＯＣＭ（Optical Cannel Monitor）２５０を接続して、当該ＯＣＭ２５０においてチャネル毎のパワーを検出することも可能である。
【００４５】
また、図５に示すように、図４のＯＣＭ２５０の代わりに、ＯＳＡ(Optical Spectrum Analyzer)２５１を用いてもよい。
【００４６】
さらに、上記の各ノードのAdd用ＷＳＳ１３０，２３０，３３０の構成を、図６のように分波器１３、Addスイッチ１４、高速可変減衰器１５、合波器１６から構成することも可能である。
【００４７】
次に、中継ノード２００におけるモニタの例を示す。図７は、本発明の一実施の形態における中継ノードのモニタの例である。
【００４８】
図７（Ａ）に示す、ＲＯＡＤＭスイッチは、分波器１０３、Addスイッチ１０４、ＶＯＡ（高速光可変減衰器）１０５、合波器１０６からなる部分を含む。ＲＯＡＤＭスイッチ内のレベル等化機能を実現するＶＯＡ制御用ｔａｐ−ＭＯＮ（モニタ）のモニタ出力を（例えば、ＲＯＡＤＭスイッチモジュールから取り出して）使用することが可能である。
【００４９】
また、図７（Ｂ）は、方路毎に設けられた分散補償器２０１，２０２と、Add用ＷＳＳ２３０、及びDrop用ＷＳＳ２２０からなる構成において、Drop用ＷＳＳ２３０の後段の光ファイバのそれぞれにＯＣＭ２５０を接続している構成であるが、当該ＯＣＭ相当部分にモニタを外付けする方法や、図７（Ｂ）のＯＣＭ２５０を削除した構成において、ＷＳＳ内部にＯＣＭを含む構成とすることも可能である。
【００５０】
なお、上記のＷＳＳ１３０，２３０，３３０やＲＯＡＤＭスイッチ１３１，２３１，３３１は、波長間レベルのばらつきを等化するためレベル偏差等化制御を行うためのモニタを元々備えている。図８のａの入力側の光アンプ３０１の前段のＡ点での光スペクトラムは２波であるが、Ｂ点では４波となり、フラットであるが、同図ｂのＣ点では損失偏差・利得偏差により波長間レベル偏差が生じている。伝送特性最適化のためには、同図ｂのROADMスイッチ部３０６から光信号を出力するＤ点においてこの波長間レベル偏差を等化する必要がある。ＷＳＳやＲＯＡＤＭスイッチにレベル偏差等化制御を行うことが可能なモニタを元々備えていることにより、新たな部品を不要とし、低周波信号をモニタすることが可能となる。
【００５１】
なお、本発明は、上記の実施の形態に限定されることなく、特許請求の範囲内において種々変更・応用が可能である。
【産業上の利用可能性】
【００５２】
本発明は、トランスペアレントネットワークにおいて、パストレースを行う技術に適用可能である。
【図面の簡単な説明】
【００５３】
【図１】本発明の原理構成図である。
【図２】本発明の一実施の形態における各ノードの構成図（その１）である。
【図３】本発明の一実施の形態における各ノードの構成図（その２）である。
【図４】本発明の一実施の形態における各ノードの構成図（その３）である。
【図５】本発明の一実施の形態における各ノードの構成図（その４）である。
【図６】本発明の一実施の形態における各ノードの構成図（その５）である。
【図７】本発明の一実施の形態における中継ノードのモニタの例である。
【図８】本発明のトランスペアレントネットワークにおけるレベル偏差等化制御を説明するための図である。
【図９】トランスペアレントネットワークの例である。
【符号の説明】
【００５４】
１００  送信ノード
１０１  光アンプ
１０２  ドロップ用ＷＳＳ
１３，１０３  分波器
１４，１０４  スイッチ
１５，１０５  高速可変減衰器
１６，１０６  合波器
１１０  分波手段、光カプラ
１２０  ドロップ用波長選択スイッチ
１３０  アド用波長選択スイッチ
１３１  ＲＯＡＤＭスイッチ
１４０  送信用トランスポンダ、パストレース情報送信手段
１４１  変調手段
１５０  光源
２００  中継ノード
２０１  ＴＰＤＣ（光可変分散保証モジュール）
２１０  分岐手段、光カプラ
２２０  ドロップ用波長選択スイッチ
２３０  アド用波長選択スイッチ、検出手段
２３１  ＲＯＡＤＭスイッチ
２３２  光分岐器
２４０  モニタ用トランスポンダ
２５０  ＯＣＭ
２５１  ＯＳＡ
３００  受信ノード
３１０  光カプラ
３２０  ドロップ用波長選択スイッチ
３３０  アド用波長選択スイッチ
３３１  ＲＯＡＤＭスイッチ
３４０  受信用トランスポンダ、パストレース情報監視手段
４００  中継ノード
４１０，４１１，４１２  光カプラ
４２０，４２１，４２２  方路切替波長選択スイッチ
４３０，４３１，４３２  アド用波長選択スイッチ
４４０，４４１，４４２  ドロップ用波長選択スイッチ
４５０  セレクタ
４６０  モニタ用トランスポンダ
【図１】
2010098546.tif 000003
【図２】
2010098546.tif 000004
【図３】
2010098546.tif 000005
【図４】
2010098546.tif 000006
【図５】
2010098546.tif 000007
【図６】
2010098546.tif 000008
【図７】
2010098546.tif 000009
【図８】
2010098546.tif 000010
【図９】
2010098546.tif 000011